(57)【要約】【課題】水トレイ内の水の衛生状態を保てないものであった。【解決手段】放電装置であって、放電電極により放電を行う複数の放電部と、前記複数の放電部を交互に動作させる通常放電モードと、前記複数の放電部の少なくとも１つを連続に動作させる連続放電モードとを切替える運転制御部と、を有する。【選択図】図９
2020061212.tif 000002
【特許請求の範囲】
【請求項１】
放電電極により放電を行う複数の放電部と、
前記複数の放電部を交互に動作させる通常放電モードと、前記複数の放電部の少なくとも１つを連続に動作させる連続放電モードとを切替える運転制御部と、
を有することを特徴とする放電装置。
【請求項２】
水を貯水する水トレイと、
前記水により加湿する加湿フィルタを備える加湿ユニット部と、
前記水トレイ内の水を検知する水検知センサーと、
を有し、
前記運転制御部は、前記水検知センサーで検知する水検知信号に基づき、前記通常放電モードと前記連続放電モードとを切替える、
ことを特徴とする請求項１に記載の放電装置。
【請求項３】
前記水の放置時間に基づき、前記通常放電モードと前記連続放電モードとを切替える、
ことを特徴とする請求項２に記載の放電装置。
【請求項４】
前記運転制御部は、前記加湿ユニット部を稼働する加湿運転モードで運転していない場合に、前記連続放電モードに切替える、
ことを特徴とする請求項２または３に記載の放電装置。
【請求項５】
温度を検知する温度センサーと、
湿度を検知する湿度センサーと、を備え、
前記運転制御部は、前記温度センサーで検知する温度及び前記湿度センサーで検知する湿度に基づき、前記通常放電モードと前記連続放電モードとを切替える、
ことを特徴とする請求項２から４の何れか１項に記載の放電装置。
【発明の詳細な説明】
【技術分野】
【０００１】
本発明は、放電装置に関する。
【背景技術】
【０００２】
例えば、特許文献１には、放電電極と対向する電極との間で放電を行う複数の放電部を備えた放電装置が開示されている。このような放電装置は、空気調和機に用いられており、放電で発生する例えば、電子、イオン、ラジカル、オゾン等の放電生成因子を空気調和機のプレフィルタ等のフィルタ部や空気を加湿する加湿部内の水トレイに送り、同フィルタ部や水トレイ等を衛生的に保つことが行われている。
【先行技術文献】
【特許文献】
【０００３】
【特許文献１】特開２０１５−１４４１０９号公報（２０１５年８月６日公開）
【発明の概要】
【発明が解決しようとする課題】
【０００４】
上記のような空気調和機では、複数の放電部を一定周期で交互に動作して、放電することにより発生する放電生成因子を、各放電部から交互に放出している。しかしながら、室内等の周囲の湿度が高いときや空気を清浄化する運転のときは加湿部を停止し、加湿部の水トレイ内の水は長時間不使用のまま放置される場合がある。このような場合には、加湿部に供給するために貯水した水トレイ内の水を衛生的に保てない問題があった。
【０００５】
そこで、本発明の一態様は、上記のような水トレイ内の水をより衛生的に保つことのできる放電装置を実現する。
【課題を解決するための手段】
【０００６】
（１）本発明の一態様に係る放電装置は、放電電極により放電を行う複数の放電部と、前記複数の放電部を交互に動作させる通常放電モードと、前記複数の放電部の少なくとも１つを連続に動作させる連続放電モードとを切替える運転制御部と、を有することを特徴とする。
【０００７】
（２）本発明の一態様に係る放電装置は、水を貯水する水トレイと、前記水により加湿する加湿フィルタを備える加湿ユニット部と、前記水トレイ内の水を検知する水検知センサーと、を有し、前記運転制御部は、前記水検知センサーで検知する水検知信号に基づき、前記通常放電モードと前記連続放電モードとを切替える、ことを特徴とする。
【０００８】
（３）本発明の一態様に係る放電装置は、前記水の放置に基づき、前記通常放電モードと前記連続放電モードとを切替える、ことを特徴とする。
【０００９】
（４）本発明の一態様に係る放電装置は、前記運転制御部は、前記加湿ユニット部を稼働する加湿運転モードで運転していない場合に、前記連続放電モードに切替える、ことを特徴とする。
【００１０】
（５）本発明の一態様に係る放電装置は、温度を検知する温度センサーと、湿度を検知する湿度センサーと、を備え、前記運転制御部は、前記温度センサーで検知する温度及び前記湿度センサーで検知する湿度に基づき、前記通常放電モードと前記連続放電モードとを切替える、ことを特徴とする。
【図面の簡単な説明】
【００１１】
【図１】本発明の実施形態１に係る放電装置を示す斜視図である。
【図２】本発明の実施形態１に係る放電装置を示す分解斜視図である。
【図３】（ａ）加湿ユニット部の要部を示す平面図である。（ｂ）加湿ユニット部の要部を示す正面図である。
【図４】収納部と水トレイを接続する導通管の配置関係を示す透視図である。
【図５】（ａ）放電ユニット部を示す斜視図である。（ｂ）放電ユニット部を示す平面図である。（ｃ）放電ユニット部を示す正面図である。（ｄ）放電ユニット部を示す背面図である。（ｅ）放電ユニット部を示す右側面図である。
【図６】（ａ）放電部内の放電電極及び対向電極を示す平面図である。（ｂ）他の放電部内の放電電極及び対向電極を示す平面図である。
【図７】本発明の実施形態１に係る放電装置の機能構成を示すブロック図である。
【図８】本発明の実施形態１に係る放電装置の処理の流れの一例を示すフローチャートである。
【図９】（ａ）本発明の実施形態１に係る右側放電部と水トレイを接続する導通管の配置関係を示す模式図である。（ｂ）本発明の実施形態１に係る左右放電部の放電モードの状態を示すタイミングチャートである。
【図１０】（ａ）本発明の実施形態２に係る放電部と水トレイを接続する導通管の配置関係を示す模式図である。（ｂ）本発明の実施形態２に係る左右放電部の放電モードの状態を示すタイミングチャートである。
【図１１】（ａ）本発明の実施形態３に係る左右放電部と水トレイとを接続する左右導通管の配置関係を示す模式図である。（ｂ）本発明の実施形態３に係る左右放電部の放電モードの状態を示すタイミングチャートである。
【図１２】（ａ）本発明の実施形態４に係る左右放電部と水トレイとを接続する導通管の配置関係を示す模式図である。（ｂ）本発明の実施形態４に係る左右放電部の放電モードの状態を示すタイミングチャートである。
【図１３】放電装置の変形例を示す正面図である。
【発明を実施するための形態】
【００１２】
［実施形態１］
本開示の実施形態１は、図１〜図９を用いて説明する。図１は、本実施形態に係る放電装置を示す斜視図である。図２は、本実施形態に係る放電装置を示す分解斜視図である。以下、放電装置は、室内の空気を清浄化する機能や室内の空気を加湿する機能を行う空気調和機の機能を含むものである。
【００１３】
図１及び図２に示すように、放電装置１は、ケーシング本体２と、空気浄化ユニット部３と、加湿ユニット部４と、送風ファン５と、放電ユニット部６と、制御部７と、を有している。
【００１４】
ケーシング本体２は、略箱型形状に形成しており、同ケーシング本体２の前部２ａには、空気を吸込む前面パネル吸込口１１を形成した前面パネル１０を設けている。
【００１５】
また、同ケーシング本体２の上部２ｂ後方側には、開閉自在のフラップ１２が設けられており、同フラップ１２を開くことで、空気の吹き出す吹出口１３が開口される。
【００１６】
同ケーシング本体２の上部２ｂ前方側には、電源のオン・オフや各種運転モード等を操作する操作部１４を設けており、さらに、操作部１４を操作して切替えた電源のオン・オフ状態や各種運転モードの選択状態を示す表示部１５を設けている。これら操作部１４や表示部１５は、制御部７と共に制御基板１６に設けている。
【００１７】
図２及び図４に示すように、ケーシング本体２の前部２ａには、その上方中央部分に後述する放電ユニット部６を収納する収納部２０が形成される。
【００１８】
収納部２０内の背板２１には、後述する放電生成因子を含む空気を加湿ユニット部４の水トレイ４０に導くための背板開口部２２が形成される。
【００１９】
背板開口部２２は、背板２１の右側中央部分でかつ垂下方向に水トレイ４０が近い位置に設けている。また、背板開口部２２には、略逆Ｌ字形状の導通管２３の基部が連通連結されている。
【００２０】
同導通管２３の一部は、ケーシング本体２内の上部から底部に向かうように設けており、導通管２３の終端部は、後述する加湿ユニット部４の水トレイ４０内に設けられる。水トレイ４０および水トレイ４０内の水Ｗには、後述する放電ユニット部６で発生した放電生成因子を含む空気が放電部６４ｂの開口部６３（図５（ｄ）参照）、収納部２０の背板開口部２２、導通管２３を経由して放出される。
【００２１】
図２に示すように、空気浄化ユニット部３は、ケーシング本体２前部２ａに開口する吸込口２４の縁部に設けており、吸込まれる空気を清浄にする各種フィルタを順次重ね合わせて構成している。
【００２２】
各種フィルタは、空気中の埃等を捕集する防塵フィルタに相当するメッシュ状のプレフィルタ３０と、集塵フィルタ３１と、脱臭フィルタ３２等で構成している。
【００２３】
空気浄化ユニット部３では、前面パネル吸込口１１から吸込んだ空気を清浄にして、この清浄な空気がケーシング本体２の吸込口２４からケーシング本体２内に吸込まれて、同ケーシング本体２上部２ｂの吹出口１３からケーシング本体２の外部へ吹出される。
【００２４】
集塵フィルタ３１は、空気中の微細な塵埃を捕集する機能を有し、例えばＨＥＰＡ（High Efficiency Particulate Air）フィルタ等で構成される。ＨＥＰＡフィルタは、ポリエステルおよびビニロン系不織布等からなる骨材に電石加工したメルトブロー不織布を合わせて濾材とし、これを折り畳み、その上下面にハイドロキシアパタイト加工した不織布からなる抗菌シートを重ねて熱圧着し、ホットメルト付き不織布からなる枠を溶着した構造を有する。
【００２５】
脱臭フィルタ３２は、例えば空気中の臭い成分であるアセトアルデヒドやアンモニアや酢酸等を吸着する機能を有する。脱臭フィルタ３２は、長方形をなす枠体にポリエステル製の不織布を取り付け、その上に活性炭を均一に分散配置し、その上からポリエステル製の不織布を被せた構造を有する。
【００２６】
図２及び図３に示すように、加湿ユニット部４は、ケーシング本体２の空気浄化ユニット部３と送風ファン５との間に設けている。同加湿ユニット部４は、加湿する水を貯水する上部開口の箱型形状の水トレイ４０と、回転しながら水を掛けて加湿する円盤形状の加湿フィルタ４３と、水トレイ４０に水を供給する給水タンク４４とで構成している。
【００２７】
水トレイ４０は、給水タンク４４からの水を受けて貯水するタンク受け部４１と、タンク受け部４１から供給される水を貯水する水槽部４２とで構成している。
【００２８】
タンク受け部４１には、同水トレイ４０内の残水を検知する水検知センサー４５を設けている。
【００２９】
水検知センサー４５は、フロート４５ａとフロート４５ａの浮き沈み方向の位置を検知するリードスイッチ等の検知素子４５ｂで構成している。検知素子４５ｂは、タンク受け部４１の壁部に設けている。なお、水検知センサー４５は、水トレイ４０内の残水を検知できる機能を備えていればよく、フロート４５ａとリードスイッチで構成するものに限定するものではない。
【００３０】
水槽部４２は、その内部がタンク受け部４１内と連通しており、同水槽部４２は、タンク受け部４１から流入する水を貯水する構成としている。水槽部４２の長手方向の各側壁には、加湿フィルタ４３を取り付ける支持ステー部４２ａ，４２ａが設けられる。各支持ステー部４２ａの先端には、加湿フィルタ４３を回転自在に枢支する枢支部４２ｂがそれぞれ設けられる。水槽部４２では、後述する加湿運転モードの際に、貯水した水を円環状形状の加湿フィルタ４３に供給する。
【００３１】
加湿フィルタ４３は、吸水性および通気性を有する円盤状の給水フィルタ体４３ａと、給水フィルタ体４３ａを収納保持する円環状の保持枠４３ｂと、複数の柄杓部（図示しない）で構成している。
【００３２】
給水フィルタ体４３ａは、例えば適宜の厚さを有するフィルタ素材等を打ち抜いて作製される。
【００３３】
保持枠４３ｂは、例えば合成樹脂製であり、この保持枠には、給水フィルタ体４３ａに水を掛けるバケツとして機能する複数の柄杓部を設けている。保持枠４３ｂの内側には、水槽部４２内の水に直接接触しないような位置に給水フィルタ体４３ａが設けられる。
【００３４】
加湿フィルタ４３では、水車のように回転することにより、保持枠４３ｂの柄杓部が水槽部４２内の水を汲み、その後、保持枠４３ｂの回転に伴い柄杓部が上昇すると柄杓部内の水が給水フィルタ体４３ａに向かって流れ出し、給水フィルタ体４３ａに水が掛けられる。さらに、保持枠４３ｂが回転することにより柄杓部が水槽部４２に向かって降下して同様の水掛け動作を行う。なお、加湿フィルタ４３は、図示しない加湿用モータよりの駆動力を受けて回転駆動される。加湿フィルタは、一例として保持枠内の柄杓部で給水フィルタ体に水を掛ける構成としたが、単に給水フィルタ体を保持枠に設けた構成とし、保持枠の回転に伴い水槽部内に給水フィルタ体の一部が浸漬するような構成であってもよい。或いは、加湿フィルタとしては、水槽部の水を給水フィルタ体に噴霧器で噴霧する構成であってもよい。
【００３５】
給水タンク４４は、端部に給水栓（図示しない）を有する直方体形状の容器であり、給水栓側を下にして立設姿勢にてタンク受け部４１に装着される。給水栓は、タンク受け部４１の底部に設けた押し上げ突起（図示しない）に押し上げられて開放し、給水タンク４４内の収容水をタンク受け部４１内に送り出し、水槽部４２の内部の貯留水の水位を一定に保つ機能を有する。なお、給水タンクは、給水栓を除いた単なる容器であってもよい。
【００３６】
加湿ユニット部４では、後述する加湿運転モードが選択されると、加湿フィルタ４３を回転し、同加湿フィルタ４３の給水フィルタ体４３ａを水トレイ４０内の水により濡らし、送風ファン５の回転駆動により吸込まれた空気が濡れた給水フィルタ体４３ａを通気することで、空気が加湿されて、この加湿された空気がケーシング本体２上部２ｂの吹出口１３から外部へ吹出される。
【００３７】
この加湿運転モード以外の空気浄化運転モード等では、加湿フィルタ４３が停止しており、加湿フィルタ４３の給水フィルタ体４３ａに水トレイ４０の水が給水されないため、給水フィルタ体４３ａが乾燥する。
【００３８】
図２及び図４に示すように、送風ファン５は、ケーシング本体２内の後部２ｃに設けており、送風ファン５は、シロッコファン等の多翼ファンと同多翼ファンを回転駆動するファン用モータとで構成している。多翼ファンは、シロッコファンの他に、プロペラファンやクロスフローファン等を採用してもよい。
【００３９】
後述する各種運転モードを選択することにより送風ファン５が駆動されると、前面パネル吸込口１１から吸込まれた空気が空気浄化ユニット部３、ケーシング本体２の吸込口２４、加湿ユニット部４、送風ファン５のファン収納部から吹出口１３に連通する吹出風路（図示しない）を経て、ケーシング本体２の上部後方の吹出口１３から吹出される。
【００４０】
図５に示すように、放電ユニット部６は、略細長箱形状の筐体６１と、筐体６１内に設ける２つの放電部６４ａと、放電部６４ｂを運転制御する運転制御部７０（図７参照）で構成している。この運転制御部７０は、上述した制御部７に含まれる。
【００４１】
図５（ａ）及び（ｃ）に示すにように、筐体６１には、正面側の２箇所に放電生成因子を含む空気を放出する放出開口部６２，６２が形成されている。図５（ｄ）に示すように、筐体６１の背面側の右側中央部分には、上述した収納部２０の背板２１の背板開口部２２に対応する開口部６３が形成される。すなわち、右側放電部６４ｂには、その背面側に開口部６３が形成される。
【００４２】
図６（ａ）に示す各放電部６４ａ，６４ｂは、並列に配する複数の針状の放電電極６５，６５と、複数の放電電極６５，６５に対向するように設ける板状の電極６６（以下、対向電極という）とを備えている。各放電電極６５の先端部６５ａと対向電極６６の板部６６ａとの間には、放電が可能な間隙が設けられる。なお、図中の符号６５ｂは、放電電極６５の端部に設けた端子部であり、符号６６ｂは、対向電極６６の端部に設けた端子部である。
【００４３】
各放電部６４ａ，６４ｂでは、放電電極６５，６５と対向電極６６の間の電位差により、各放電電極６５の先端部６５ａから対向電極６５の板部６５ａに向かって放電が発生する。
【００４４】
放電が生じると、空気中において例えば、電子、イオン、ラジカル、オゾン等の放電生成因子を生成する。放電生成因子を含む空気は、両放電部６４ａ，６４ｂの正面側の放出開口部６２，６２（図５（ｃ）参照）からそれぞれ放出されて、放電ユニット部６の下方に設けた空気浄化ユニット部３（図２参照）に流入され、同空気浄化ユニット部３を通過し、ケーシング本体２の吸込口２４、加湿ユニット部４、ケーシング本体２内を経由して上部の吹出口１３から外部へ吹出される。
【００４５】
また、本例の筐体６１には、左右２つの放電部６４ａ，６４ｂを設けているが、一方の右側放電部６４ｂには、背面に開口部６３（図５（ｄ）参照）を形成しており、この開口部６３から放電生成因子を含む空気の一部が、収納部２０（図４参照）の背板２１の背板開口部２２、導通管２３を介して加湿ユニット部４の水トレイ４０内に供給される。
【００４６】
運転制御部７０（図７参照）では、放電ユニット部４の複数の放電部６４ａ，６４ｂを交互に動作させて、放電を交互に行う運転制御を行う。この交互運転の放電モードを通常放電モードと称する。
【００４７】
また、運転制御部７０は、加湿運転モード等を使用しない期間が所定の期間よりも長い等の所定の条件を満たす場合には、右側放電部６４ｂを連続運転する運転制御を行っている。これにより、水トレイ４０の殺菌等を通常放電モードより積極的に実施することができる。この放電モードを通常放電モードと区別して、連続放電モードと称する。このように運転制御部７０は、通常放電モードと連続放電モードとを切替える運転制御を行う。なお、これら放電モードの制御の詳細については、図８に示すフローチャートおよび図９（ｂ）に示す放電モードのタイミングチャートを用いながら後述する。
【００４８】
なお、図６（ａ）においては、各放電部６４ａ，６４ｂに設ける放電電極６５は、１つの対向する電極６６に対して２つ設けて構成するようにしたが、図６（ｂ）に示すように各放電部６４ａ，６４ｂに設ける放電電極６５は、１つの対向する電極６６に対して１つ設けて構成するようにしてもよい。
【００４９】
また、各放電部内の放電電極は１つの対向電極に対して３つ以上でもよく、多く設けることにより放電時に多くの放電生成因子を発生することが可能となる。
【００５０】
なお、放電ユニット部６は、左右２つの放電部６４ａ，６４ｂで構成したが、さらに３つ以上の放電部で構成するようにしてもよい。
【００５１】
上述した放電ユニット部の各放電部は、放電電極と対向電極との電位差によりストリーマ放電を行うものであったが、その他に以下のようなコロナ放電を行うような構成であってもよい。
【００５２】
具体的には、図示せずも、放電ユニット部は、例えば２つの放電部を備えており、一方の放電部は放電電極と誘導電極とを備え、また、他方の放電部も放電電極と誘導電極とを備えている。一方の放電部では、放電電極と誘導電極との間で正イオンを発生させる構成としている。他方の放電部では、放電電極と誘導電極との間で負イオンを発生させる構成としている。各放電電極は誘導電極に対して突出するように配置する構成としている。すなわち、各放電部では、各放電電極に正負何れかの高圧パルスが印加されると、同放電電極の先端部では、コロナ放電が発生し、正負何れかのイオンを発生する。放電電極の先端は、針状に形成したり、或いは複数の糸状の導電体を束ねたブラシ状に形成したりしている。ブラシ状の放電電極を備える放電ユニット部は、イオンを発生する領域の面積が増大しているので、針状の放電電極と比較して、同じ電圧を印加したときのイオン発生量を増大することができる。
【００５３】
このようなコロナ放電を行う放電ユニット部を、以下の運転制御に用いるようにしてもよい。
【００５４】
なお、正イオンは、水素イオン（Ｈ＋）の周囲に複数の水分子がクラスター化したクラスターイオンであり、Ｈ＋（Ｈ２Ｏ）ｍ（ｍは０以上の任意の整数）と表わされる。負イオンは、酸素イオン（Ｏ２−）の周囲に複数の水分子がクラスター化したクラスターイオンであり、Ｏ２−（Ｈ２Ｏ）ｎ（ｎは０以上の任意の整数）と表わされる。また、正イオンおよび負イオンを水トレイ内に放出すると、両イオンが空気中を浮遊するカビ菌やウィルスの周りを取り囲み、その表面上で互いに化学反応を起こす。その際に生成される放電生成因子の水酸化ラジカル（・ＯＨ）の作用により、浮遊カビ菌などが除去される。
【００５５】
制御部７は、空気浄化ユニット部３と、加湿ユニット部４と、送風ファン５、放電ユニット部６等を制御するものであり、各種制御機能については後述する。
【００５６】
次に、放電装置の要部構成を図７に基づいて説明する。図７は、放電装置の要部構成の一例を示すブロック図である。なお、ブロック図の各機能において、上述した機能については重複説明を一部省略する。
【００５７】
放電装置１は、操作部１４、表示部１５、温度センサー１７、湿度センサー１８、水検知センサー４５、空気浄化ユニット部３、加湿ユニット部４、送風ファン５、放電ユニット部６、制御部７を備えている。
【００５８】
操作部１４は、放電装置１に対するユーザの入力操作を受け付けて制御部７に出力するものである。操作部１４は、電源オン・オフや運転モードの操作等を行うものであり、後述する空気浄化運転、加湿運転、自動運転等の運転モードを選択し、選択した運転モードの出力が行われる。
【００５９】
温度センサー１７は、室内の温度を検知するものであり、温度センサー１７は、ケーシング本体２の前部２ａの吸込口２４の縁部に設ける（例えば、図２参照）。温度センサー１７が検知した温度信号は、制御部７へ送信される。
【００６０】
湿度センサー１８は、室内の湿度を検知するものであり、湿度センサー１８は、ケーシング本体２の前部２ａの吸込口２４の縁部に設ける（例えば、図２参照）。湿度センサー１８が検知した湿度信号は、制御部７へ送信される。加湿運転モードの運転等の場合には、温度センサーや湿度センサーの検知結果に基づいて運転が制御される。
【００６１】
放電ユニット部６は、上述の通り複数の放電部６４ａ，６４ｂを設けている。各放電部６４ａ，６４ｂは、放電により空気中において例えば、電子、イオン、ラジカル、オゾン等の放電生成因子を生成する。
【００６２】
制御部７には、放電装置の各部を統括して制御し、放電装置が使用する各種データを記憶する記憶部７７を備えており、運転制御部７０、残水判定部７１、放置時間取得部７２、放置時間判定部７３、温度湿度判定部７４、連続放電時間取得部７５、連続放電時間判定部７６が含まれている。なお、記憶部７７は制御部７の外部に設けてもよい。
【００６３】
運転制御部７０は、放電装置１の運転動作に関する制御、具体的には各種運転モードの開始、運転中の制御、および運転停止等の制御、上述の放電ユニット部６の運転制御を行う。運転制御部７０が実行する運転モードは、ユーザの操作に従って実行される空気浄化運転モードや加湿運転モード等である運転モードと、放電装置１の判断に基づいて実行される自動運転モードとに大別できる。なお、自動運転モードは、空気浄化運転や加湿運転を自動的に切替えて運転するものである。
【００６４】
残水判定部７１は、水トレイ４０内の水検知センサー４５で検知する水検知信号に基づいて、水トレイ４０内の残水の有無を判定する。
【００６５】
放置時間取得部７２は、加湿ユニット部４の水トレイ４０内の水の放置時間を取得するものである。水の放置時間とは、放電装置１を停止してから運転開始するまでの停止時間から水トレイ内の水の放置時間を計算して得られた時間である。
【００６６】
放置時間判定部７３は、放置時間取得部７２で取得する水の放置時間に基づいて、放置時間が所定時間以内であるか否かを判定する。
【００６７】
温度湿度判定部７４は、温度センサー１７で検知した温度において、湿度センサー１７で検知した湿度が目標の湿度以上であるか否かを判定する。なお、温度と目標湿度との相関関係を表わすデータは、例えば、記憶部７７に記憶しており、制御部７は必要に応じて記憶部７７よりこのデータを読み出して温度湿度判定部７４で判定を行う。
【００６８】
連続放電時間取得部７５は、連続放電モードで運転している放電部の連続放電の時間を計測して取得するものである。
【００６９】
連続放電時間判定部７６は、連続放電時間取得部７５で取得する連続放電時間に基づいて、連続放電モードで運転している放電部の連続放電時間が所定時間経過したか否かを判定する。
【００７０】
〔放電ユニット部の放電制御〕
次に、放電ユニット部の処理の流れや放電ユニット部の動作タイミングを図８及び図９に基づいて説明する。図８は、放電装置の放電ユニット部について通常放電モードから連続放電モードへ変更する処理の一例を示すフローチャートである。図９（ａ）は、右側放電部と水トレイを接続する導通管の配置関係を示す模式図である。図９（ｂ）は、左右放電部の放電モードの状態を示すタイミングチャートである。説明の便宜上、前記実施形態にて説明した部材と同じ機能を有する部材については、同じ符号を付記し、その説明を省略する。
【００７１】
まず、ユーザが操作部１４の電源をオンする。水トレイ４０内の水検知センサー４５が同水トレイ４０内に残っている水である残水を検知し、この水検知信号を制御部７へ送信する（Ｓ１）。
【００７２】
残水判定部７１は、水検知センサー４５で検知する水検知信号に基づき、水トレイ４０内の残水の有無を判定し、水トレイ４０内に残水が無いと判定した場合（Ｓ２、ＮＯ）、放電ユニット部６を通常放電モードＴ１で制御運転を行い、処理は終了する。
【００７３】
なお、水検知センサー４５としては、残水検知以外に水の量を測定できる機能を有するようにしてもよい、すなわち、水検知センサー４５で水トレイ４０内の水の量が例えば、満水状態を検知した場合に、後述するステップＳ４の放置時間の設定時間を短く設定するようにしてもよい。
【００７４】
一方、水トレイ４０内に残水が有ると判定した場合（Ｓ２、ＹＥＳ）、放置時間取得部７２は、水トレイ内の水の放置時間、すなわち、放電装置１を停止してから運転開始するまでの停止時間から水の放置時間を計算して取得する（Ｓ３）。
【００７５】
放置時間判定部７３は、放置時間取得部７２が所得した水の放置時間に基づいて、放置時間が所定時間以内であるか否かを判定する。放置時間が所定時間以内である場合（Ｓ４、ＹＥＳ）には、Ｓ５に進む。一例として所定時間を７２時間以内に設定するようにしている。さらに、水検知センサー４５で水トレイ内の水が満水状態であると検知する場合には、所定時間を４８時間などのさらに短い時間に設定するようにしてもよい。夏季などの室内温度が高いとき、水トレイ内の水も細菌等が好む水温となるが、このような短い時間に放置時間を設定することにより、大量に発生する細菌等を未然に防ぐことができて水の衛生を保つことができる。放電装置１を冬季に稼働する場合には、温度が低いため細菌等の発生も少ないことから、逆に放置時間を長く設定してもよい。
【００７６】
放電装置１では、空気浄化運転モード、加湿運転モード、自動運転モードの各種の運転モードにて運転制御を行っており、運転制御部７０は、何れの運転モードで運転制御しているかを確認する（Ｓ５）。
【００７７】
運転制御部７０は、放電装置１が加湿運転モードであるか否かを判断し、加湿運転モードであると判断した場合（Ｓ６、ＹＥＳ）には、温度センサー１７で室内の温度の値を検知し、検知した温度情報を制御部７へ送信する。また、湿度センサー１８で室内の湿度の値を検知し、検知した湿度情報を制御部７へ送信する（Ｓ７）。
【００７８】
温度湿度判定部７４は、温度センサー１７で検知した温度情報において、湿度センサー１８で検知した湿度情報が目標湿度以上であるか否かを判定し、検知温度に対して目標湿度以上である場合（Ｓ８、ＹＥＳ）には、運転制御部７０は、放電ユニット部６の放電モードにおいて通常放電モードから連続放電モードに切替える運転制御を行う。
【００７９】
ここで連続放電モードを行う放電部は、図９（ａ）に示す水トレイ４０に近い位置側の右側放電部６４ｂであり、右側放電部６４ｂでは、放電で発生する放電生成因子の一部を水トレイ４０へ放出するために、その背面の開口部６３から収納部２０の背板２１の背板開口部２２、導通管２３を介して水トレイ４０内に連通されている。
【００８０】
図９（ｂ）の左右の放電部６４ａ，６４ｂのタイミングチャートに示すように、通常放電モードＴ１において左右放電部６４ａ，６４ｂは、交互に放電動作しているが、運転制御部７０が通常放電モードＴ１から連続放電モードＴ２に切り替える（Ｓ９）。これにより、右側放電部６４ｂのみが連続放電となり、通常の２倍の放電生成因子を発生することができる。この通常の２倍の放電生成因子を含む空気が右側放電部６４ｂの開口部６３から放出されて、さらに、導通管２３を介して水トレイ４０や水トレイ４０内の水Ｗに放出されて、水Ｗに含まれる細菌等を効率的に抑制等して衛生的に保ち、加湿運転時により清潔な水で加湿することができる。
【００８１】
また、左右放電部６４ａ，６４ｂでは、通常放電モードや連続放電モードにおいて、両放出開口部６２，６２からも放電生成因子を含む空気を放出しており、この放電生成因子を含む空気は、同ケーシング本体２の収納部２０の下方の空気浄化ユニット部３に供給される。
【００８２】
連続放電時間取得部７５は、連続放電モードＴ２で運転している放電部６４ｂの連続放電の時間を計測して取得する。連続放電時間判定部７６は、連続放電時間取得部７５で取得する連続放電時間に基づいて、連続放電モードＴ２で運転している放電部６４ｂの連続放電時間が所定時間経過したか否かを判定し、所定期間（例えば１０分）が経過した場合（Ｓ１０、ＹＥＳ）に、運転制御部７０は、連続放電モードＴ２から通常放電モードＴ３に切り替える（Ｓ１１）。すなわち、放電ユニット部６は、運転制御部７０により、右側放電部６４ｂを連続放電モードＴ２から、もとの左右放電部６４ａ，６４ｂを交互に放電運転する通常放電モードＴ３となり、その後処理を終了する。このように設定時間経過後は、連続放電運転から通常放電運転に戻すことにより放電ユニット部６の放電電極等の早期の劣化を防ぐことができる。
【００８３】
上述した処理のうち、水トレイ４０内に残水が無い場合（Ｓ２、ＮＯ）や、温度湿度判定部７４が温度センサー１７で検知する温度情報において、湿度センサー１８で検知する湿度情報が目標湿度以上でないと判定する場合（Ｓ８、ＮＯ）に、運転制御部７０は、上記と同様に、連続放電モードＴ２から通常放電モードＴ３に切り替え、放電ユニット部６を通常放電モードにて運転制御を行う（Ｓ１１）。
【００８４】
また、上述した処理のうち、放置時間が所定時間以内でない場合（Ｓ４、ＮＯ）や、加湿運転モードでない場合（Ｓ６、ＮＯ）に、運転制御部７０は、上記と同様に、通常放電モードＴ１から連続放電モードＴ２に切り替える。これにより、右側放電部６４ｂのみが連続放電を実行して、通常の２倍の放電生成因子を発生する（Ｓ９）。
【００８５】
また、連続放電時間判定部７６が、連続放電モードＴ２の運転を実行して所定時間が経過していないと判定する場合（Ｓ１０、ＮＯ）に、上記Ｓ９の処理を行う。
【００８６】
なお、上記フローは一例であって、本実施の形態は上記に限られるものではない。例えば、上述したステップＳ６は、運転モードが加湿運転モードであるか否かを判定するが、ユーザが運転モードを自動運転にセットし、放電装置が自動運転モードのうち加湿運転モードを選択している場合であっても、同様のステップＳ６の処理を行うようにしてもよい。
【００８７】
［実施形態２］
上述した第１実施形態では、放電ユニット部６の右側放電部６４ｂが導通管２３を介して水トレイ４０に連通する構成としたが、第２実施形態では、放電ユニット部６の左側放電部６４ａが導通管２３を介して水トレイ４０に連通する構成としている。説明の便宜上、前記実施形態にて説明した放電装置およびその部材と同じ機能を有する部材については、重複した説明については省略する。
【００８８】
図１０（ａ）に示す放電ユニット部６は、略細長箱形状の筐体６１と、筐体６１内に設ける２つの放電部６４ａ，６４ｂと、放電部６４ａ，６４ｂを運転制御する運転制御部７０で構成している。
【００８９】
筐体６１には、正面側の２箇所に放電生成因子を含む空気を放出する放出開口部６２，６２が形成されている。
【００９０】
筐体６１の背面側の左側中央部分には、開口部６３が形成されており、この開口部６３に対応する背板開口部２２がケーシング本体２の収納部２０の背板２１に形成されている。背板開口部２２には、略逆Ｌ字形状の導通管２３の基部が連通連結されている。
【００９１】
同導通管２３は、ケーシング本体２内の上部から底部に向かうように設けており、導通管２３の終端部は、水トレイ４０内に設けられる。水トレイ４０および水トレイ４０内の水Ｗには、左側放電部６４ａで発生した放電生成因子を含む空気が左側放電部６４ａの開口部６３、背板開口部２２、導通管２３を経由して放出される。
【００９２】
この実施形態２の放電装置は、上述した図８のフローチャートの各処理Ｓ１〜Ｓ１１と同様の処理を行うものである。以下の処理においては、上述した各処理Ｓ１〜Ｓ１１と重複する説明を省略する。
【００９３】
図１０（ｂ）に示す通常放電モードＴ１においては、左右放電部６４ａ，６４ｂが交互に放電動作する。上述した図８中の処理において、運転制御部７０が通常放電モードＴ１から連続放電モードＴ２に切り替えると、左側放電部６４ａのみが連続放電となる（Ｓ９）。これにより、例えば通常の２倍の放電生成因子が発生される。かかる放電生成因子を含む空気が左側放電部６４ａの開口部６３から放出されて、さらに、導通管２３を介して水トレイ４０や水トレイ４０内の水Ｗに放出されて、水Ｗに含まれる細菌等を効率的に抑制等して衛生的に保ち、加湿運転時に常に清潔な水で加湿することができる。
【００９４】
また、左右放電部６４ａ，６４ｂでは、通常放電モードや連続放電モードにおいて、両放出開口部６２，６２からも放電生成因子を含む空気を放出しており、この放電生成因子を含む空気は、同放電ユニット部６の下方の空気浄化ユニット部３に供給される。
【００９５】
連続放電時間取得部７５は、連続放電モードＴ２で運転している放電部６４ａの連続放電の時間を計測して取得する。連続放電時間判定部７６は、連続放電時間取得部７５で取得する連続放電時間に基づいて、連続放電モードＴ２で運転している放電部６４ａの連続放電時間が所定時間経過したか否かを判定し、所定時間（例えば１０分）経過したと判定した場合（Ｓ１０、ＹＥＳ）に、運転制御部７０は、連続放電モードＴ２から通常放電モードＴ３に切り替える。すなわち、放電ユニット部６は運転制御部７０により、左側放電部６４ａを連続放電モードＴ２から、もとの左右放電部６４ａ，６４ｂを交互に放電運転する通常放電モードＴ３とし（Ｓ１１）、これにより図示の処理は終了する。このように設定時間経過後は、連続放電運転から通常放電運転に戻すことにより放電ユニット部６の放電電極等の早期の劣化を防ぐ効果がある。
【００９６】
［実施形態３］
第３実施形態では、放電ユニット部６の左右放電部６４ａ，６４ｂがそれぞれ導通管２３，２３を介して水トレイ４０に連通する構成としている。説明の便宜上、前記実施形態にて説明した放電装置およびその部材と同じ機能を有する部材については、重複した説明については省略する。
【００９７】
図１１（ａ）に示す放電ユニット部６は、略細長箱形状の筐体６１と、筐体６１内に設ける２つの放電部６４ａ，６４ｂと、放電部６４ａ，６４ｂを運転制御する運転制御部７０で構成している。
【００９８】
筐体６１には、正面側の２箇所に放電生成因子を含む空気を放出する放出開口部６２，６２が形成されている。
【００９９】
筐体６１の背面側の左側中央部分と右側中央部分には、それぞれ開口部６３ａ，６３ｂが形成されており、これら開口部６３ａ，６３ｂに対応するそれぞれの背板開口部２２ａ，２２ｂが収納部２０の背板２１に形成されている。
【０１００】
左側の背板開口部２２ａには、略逆Ｌ字形状の左側導通管２３の基部が連通連結されている。
また、右側の背板開口部２２ｂには、略逆Ｌ字形状の右側導通管２３の基部が連通連結されている。
【０１０１】
それぞれの導通管２３，２３は、ケーシング本体２内の上部から底部に向かうように設けており、各導通管２３の終端部は、水トレイ４０内に設けられる。水トレイ４０および水トレイ４０内の水Ｗには、左右の放電部６４ａ，６４ｂで発生した放電生成因子を含む空気が左右の放電部６４ａ，６４ｂのそれぞれの開口部６３ａ，６３ｂ、各背板開口部２２ａ，２２ｂ、左右の導通管２３，２３を経由して放出される。
【０１０２】
この実施形態３の放電装置は、上述した図８のフローチャートの各処理Ｓ１〜Ｓ１１と同様の処理を行うものである。以下の処理においては、上述した各処理Ｓ１〜Ｓ１１と重複する説明を省略する。
【０１０３】
図１１（ｂ）に示す通常放電モードＴ１においては、左右放電部６４ａ，６４ｂが交互に放電動作する。上述した図８中の処理において、運転制御部７０が通常放電モードＴ１から連続放電モードＴ２に切り替えると、左右放電部６４ａ，６４ｂが連続放電となる（Ｓ９）。これにより、例えば通常の４倍の放電生成因子が発生される。かかる放電生成因子を含む空気が左右放電部６４ａ，６４ｂのそれぞれの開口部６３ａ，６３ｂから放出されて、さらに、左右の導通管２３，２３を介して水トレイ４０や水トレイ４０内の水Ｗに放出されている。すなわち、水トレイ４０内の両端には、導通管２３，２３の端部を配置しており、放電生成因子を含む空気が２方向から水トレイ内水Ｗに導入されることにより水トレイ内の水に含まれる細菌等を効率的に抑制等して衛生的に保ち、加湿運転時に常に清潔な水で加湿することができる。
【０１０４】
また、左右放電部６４ａ，６４ｂでは、通常放電モードや連続放電モードにおいて、両放出開口部６２，６２からも放電生成因子を含む空気を放出しており、この放電生成因子を含む空気は、同放電ユニット部６の下方の空気浄化ユニット部３に供給される。
【０１０５】
連続放電時間取得部７５は、連続放電モードＴ２で運転している放電部６４ａ，６４ｂの連続放電の時間を計測して取得する。連続放電時間判定部７６は、連続放電時間取得部７５で取得する連続放電時間に基づいて、連続放電モードＴ２で運転している放電部６４ａ，６４ｂの連続放電時間が所定時間経過したか否かを判定し、所定時間（例えば１０分）経過した場合（Ｓ１０、ＹＥＳ）に、運転制御部７０は、連続放電モードＴ２から通常放電モードＴ３に切り替える。すなわち、放電ユニット部６は運転制御部７０により、左右放電部６４ａ，６４ｂを連続放電モードＴ２から、もとの左右放電部を交互に放電運転する通常放電モードＴ３とし（Ｓ１１）、これにより図示の処理は終了する。このように設定時間経過後は、連続放電運転から通常放電運転に戻すことにより放電ユニット部６の各放電部６４ａ，６４ｂの劣化を均一とでき、放電ユニット部６の放電電極等の早期の劣化を防ぐ効果がある。
【０１０６】
［実施形態４］
第４実施形態では、放電ユニット部６の左右放電部６４ａ，６４ｂが共通の導通管２３を介して水トレイ４０に連通する構成としている。導通管２３内には、開閉自在の左右２つのバルブ２５ａ，２５ｂを設けている。説明の便宜上、前記実施形態にて説明した放電装置およびその部材と同じ機能を有する部材については、重複した説明については省略する。
【０１０７】
図１２（ａ）に示す放電ユニット部６は、略細長箱形状の筐体６１と、筐体６１内に設ける２つの放電部６４ａ，６４ｂと、放電部６４ａ，６４ｂを運転制御する運転制御部７０で構成している。
【０１０８】
筐体６１には、正面側の２箇所に放電生成因子を含む空気を放出する放出開口部６２，６２が形成されている。
【０１０９】
筐体６１の背面側の左側中央部分と右側中央部分には、それぞれ開口部６３ａ，６３ｂが形成されており、これら開口部６３ａ，６３ｂに対応するそれぞれの背板開口部２２ａ，２２ｂが収納部２０の背板２１に形成されている。
【０１１０】
左右の背板開口部２２ａ，２２ｂには、二股形状の略逆Ｌ字の導通管２３が連通連結されている。導通管２３内には、左右の背板開口部２２ａ，２２ｂに近接する位置にそれぞれ開閉自在の左右バルブ２５ａ，２５ｂを設けている。
【０１１１】
導通管２３の一部分は、ケーシング本体２内の上部から底部に向かうように設けており、各導通管の終端部は、水トレイ内に設けられる。
【０１１２】
水トレイおよび水トレイ内の水には、左右バルブ２５ａ，２５ｂを交互に開閉制御することで、左右の放電部６４ａ，６４ｂで発生した放電生成因子を含む空気が左右何れかの放電部６４ａ，６４ｂの開口部６３ａ，６３ｂ、背板開口部２２ａ，２２ｂ、左右バルブ２５ａ，２５ｂ、導通管２３を経由して放出される。なお、左右バルブは、電磁バルブで構成しており、制御部により開閉自在に制御される。
【０１１３】
この実施形態４の放電装置は、上述した図８のフローチャートの各処理Ｓ１〜Ｓ１１と同様の処理を行うものである。以下の処理においては、上述した各処理Ｓ１〜Ｓ１１と重複する説明を省略する。
【０１１４】
図１２（ｂ）に示す通常放電モードＴ１においては、左右放電部６４ａ，６４ｂが交互に放電動作する。このとき右側放電部側の右バルブ２５ｂは開状態となっており、右側放電部６４ｂで発生した放電生成因子を含む空気が右側放電部６４ｂの開口部６３ｂ、背板開口部２２ｂ、導通管２３を経由して水トレイ４０へ放出される。左側放電部６４ａ側の左バルブ２５ａは閉状態である。上述した図８中の処理において、運転制御部７０が通常放電モードＴ１から連続放電モードＴ２に切り替えると、右側放電部６４ｂが連続放電となる（Ｓ９）。これにより、例えば通常の２倍の放電生成因子が発される。かかる放電生成因子を含む空気が右側放電部６４ｂの開口部６３ｂから放出されて、さらに、導通管２３を介して水トレイ４０や水トレイ４０内の水Ｗに放出される。
【０１１５】
また、左右放電部６４ａ，６４ｂでは、通常放電モードや連続放電モードにおいて、両放出開口部６２，６２からも放電生成因子を含む空気を放出しており、この放電生成因子を含む空気は、同放電ユニット部６の下方の空気浄化ユニット部３に供給される。
【０１１６】
連続放電時間取得部７５は、連続放電モードＴ２で運転している放電部６４ｂの連続放電の時間を計測して取得する。連続放電時間判定部７６は、連続放電時間取得部７５で取得する連続放電時間に基づいて、連続放電モードＴ２で運転している放電部６４ｂの連続放電時間が所定時間経過したか否かを判定し、所定時間が（例えば１０分）経過したと判定した場合（Ｓ１０、ＹＥＳ）に、運転制御部７０は、連続放電モードＴ２から通常放電モードＴ３に切り替える。ここで、右側放電部６４ｂ側の右バルブ２５ｂを閉じ、左側放電部６４ａ側の左バルブ２５ａを開く。放電ユニット部６は運転制御部７０により、右側放電部６４ａを連続放電運転から、もとの左右放電部を交互に放電運転する通常放電モードＴ３となる（Ｓ１１）。この通常放電モードＴ３においては、放電生成因子を含む空気が左側放電部６４ａの開口部６３ａから放出されて、導通管２３を介して水トレイ４０や水トレイ４０内の水Ｗに放出される。これにより図示の処理は一端終了するが、改めて同様の処理フローを経て、連続放電モードの処理となった場合について説明する。
【０１１７】
連続放電モードＴ４において、左側放電部６４ａが連続放電となり、通常の２倍の放電生成因子を発生する（Ｓ９）。このとき右側放電部６４ｂ側の右バルブ２５ｂは閉状態であり、左側放電部６４ａ側の左バルブ２５ａが開状態となっており、左側放電部６４ａの開口部６３ａから通常の２倍の放電生成因子を含む空気が放出されて、さらに、ストリーマ導通管２３を介して水トレイ４０や水トレイ４０内の水Ｗに放出される。
【０１１８】
かかる構成とすることで、連続放電モードＴ２，Ｔ４を左右放電部６４ａ，６４ｂで交互に行うことが可能となり、放電ユニット部６の放電電極等の早期の劣化を防ぐ効果がある。
【０１１９】
［変形例］
上記各実施形態は、ケーシング本体２の上部中央に放電ユニット部６を設ける構成としたが、図１３に示すように、ケーシング本体２の空気浄化ユニット部３を挟んで両側部にそれぞれ放電ユニット部６ａ，６ｂを設けるようにしてもよい。なお、図１３は、ケーシング本体から前面パネルを外した状態を示す図である。
【０１２０】
各放電ユニット部６は、２つの放電部６４ａ，６４ｂを設けている。右側放電ユニット部６ｂの上下放電部６４ａ，６４ｂのうち下側放電部６４ｂは、導通管２３を介して水トレイ４０に連通連結している。すなわち、下側放電部６４ｂを収めた筐体６１下部には、開口部６３ｃが形成されており、一方、ケーシング本体２の収納部内の一部に筐体下部の開口部６３ｃに対応する下部開口部２２ｃが形成され、この下部開口部２２ｃに導通管２３の基部を連通連結している。
【０１２１】
導通管２３の終端部は、水トレイ４０内に設けられる。水トレイ４０および水トレイ４０内の水Ｗには、下側の放電部６４ｂで発生した放電生成因子を含む空気が下側の放電部６４ｂの開口部６３ｃ、下部開口部２２ｃ、導通管２３を経由して放出される。
【０１２２】
この変形例の放電装置は、上述した図８のフローチャートの各処理Ｓ１〜Ｓ１１と同様の処理を行うことができるので、各処理に関する重複説明を省略する。かかる構成とすることで上記実施形態と同様の効果を奏する。
【０１２３】
上述した各実施形態において、放電ユニット部は、一例としてストリーマ放電を行う放電部を用いて説明したが、コロナ放電を行う放電部で構成しても同様の各種放電運転の制御を行うことができる。
【０１２４】
放電ユニット部は、例えば、２つの放電部同士を連結する構成としたが、それぞれの放電部を分離して、一方の放電部を水トレイに隣接する箇所に設けて、他方の放電部を空気浄化ユニット部等のフィルタに隣接する箇所に設けるようにしてもよい。すなわち、放電部同士が分離されている場合は、例えば、加湿機などの電子機器等の汚れやすい箇所の付近にそれぞれ設置することができる。
【０１２５】
例えば、水トレイ内の水が長時間放置されている場合には、水トレイ付近に設置された放電部を連続して動作（連続放電動作モード）させて、水トレイおよび水トレイ内の水に対して放電生成因子を積極的に送出し、雑菌等の繁殖等を抑制することができる。
上述した実施形態１から４の何れの放電ユニット部のように放電部同士が連結されている場合には、水トレイ等の汚れやすい箇所に対して、導通管を通じて放電部で生成した放電生成因子を送出することができる。
【０１２６】
なお、実施形態において、２つの放電部を用いて交互に動作させる例を説明したが、例えば３つ以上の放電部を交互に動作させる場合には、第１放電部、第２放電部、第３放電部を単独あるいは組み合わせる交互動作パターンも含まれる。
第１放電部→第２放電部→第３放電部、・・の順に繰り返す交互動作パターン。
第１および第２放電部（第１群）→第３放電部（第２群）→第１および第２放電部（第１群）→第３放電部（第２群）、・・の順に繰り返す交互動作パターン。このように複数の放電部を２群、さらに複数群に分けて、交互に動作するものも含まれる。
上記各動作パターンのように３つ以上の放電部を交互に動作させる場合も通常放電モードに含まれるものである。
【０１２７】
上記実施形態では一例として空気調和機に適用した場合に説明したが、放電装置としては、少なくても放電電極により放電を行う複数の放電部と、これら複数の放電部を交互に動作させる通常放電モードと、複数の放電部の少なくとも１つを連続に動作させる連続放電モードとを切替える運転制御部と、を備えていればよい。特許請求の範囲における放電装置には、上記構成を備えた、例えば、除電機、イオン発生機、空気調和機、除湿機、加湿機、空気清浄機、エアーコンディショナー、脱臭機、冷蔵庫、掃除機、調理家電などの電子機器等を含む。
【０１２８】
〔ソフトウェアによる実現例〕
放電装置の制御ブロック（特に制御部）は、集積回路（ＩＣチップ）等に形成された論理回路（ハードウェア）によって実現してもよいし、ＣＰＵ（Central Processing Unit）を用いてソフトウェアによって実現してもよい。
【０１２９】
後者の場合、放電装置は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１３１】
Ｗ  水
１  放電装置
２  ケーシング本体
３  空気浄化ユニット部
４  加湿ユニット部
５  送風ファン
６  放電ユニット部
７  制御部
１０前面パネル
１１前面パネル吸込口
１２  フラップ
１３  吹出口
１４  操作部
１５  表示部
１６  制御基板
１７  温度センサー
１８  湿度センサー
２０  収納部
２１  背板
２２  背板開口部
２３  導通管
２４  吸込口
３０  プレフィルタ
３１  集塵フィルタ
３２  脱臭フィルタ
４０  水トレイ
４１  タンク受け部
４２  水槽部
４２ａ  支持ステー部
４２ｂ  枢支部
４３  加湿フィルタ
４３ａ  給水フィルタ体
４３ｂ  保持枠
４４  給水タンク
４５  水検知センサー
４５ａ  フロート
４５ｂ  検知素子
６１  筐体
６２  放出開口部
６３  開口部
６４ａ，６４ｂ  放電部
６５  放電電極
６５ａ  先端部
６５ｂ  端子部
６６  対向電極
６６ａ  板部
６６ｂ  端子部
７０  運転制御部
７１  残水判定部
７２  放置時間取得部
７３  放置時間判定部
７４  温度湿度判定部
７５  連続放電時間取得部
７６  連続放電時間判定部
７７  記憶部
【図１】
2020061212.tif 000003
【図２】
2020061212.tif 000004
【図３】
2020061212.tif 000005
【図４】
2020061212.tif 000006
【図５】
2020061212.tif 000007
【図６】
2020061212.tif 000008
【図７】
2020061212.tif 000009
【図８】
2020061212.tif 000010
【図９】
2020061212.tif 000011
【図１０】
2020061212.tif 000012
【図１１】
2020061212.tif 000013
【図１２】
2020061212.tif 000014
【図１３】
2020061212.tif 000015